Podtech/llm-jp-corpus-v4-ja_patent huggingface dataset:
(57)【要約】      （修正有）【課題】指の疲労が少なくて使用できる、皮をむく食材の皮むきに使用する調理用皮むき具を提供する。【解決手段】ペットボトルやビン等の使用済みキャップ３をはめ込んで固定する部分１とこの部分１と一体となる取っ手部分２を設けて、キャップ３を、該固定する部分１にはめ込み固定し、キャップ３を、皮をむく刃として使用することができるようにした。【選択図】図２
0003202403.tif 000002
【実用新案登録請求の範囲】
【請求項１】
ペットボトルやビン等の使用済みキャップ（３）をはめ込んで固定する部分（１）とこの部分（１）と一体となる取っ手部分（２）を設けて、キャップ（３）を、（１）にはめ込み固定し、キャップ（３）を、皮をむく刃として使用することができるようにしたことを特徴とした皮むき具。
【考案の詳細な説明】
【技術分野】
【０００１】本考案は料理用に使用する食材で、皮をむく食材の皮むきに使用する調理用皮むき具に関する。【０００２】従来の皮むき具は、取っ手と皮をむく刃部分が一体となっているのが普通である。
また、刃も鋭利で、形状、材質も多種類がある。【０００３】従来の皮むき具は、しっかりした取っ手と鋭利な刃がついていて、食材の皮むきには通常、問題はない。しかし、ショウガ等の小さくて凹凸の多い食材、ゴボウ、レンコン、サトイモ等、皮を薄くむきたい食材には、皮をむくときに、身を多くむいてしまい、食材を無駄にする場合が多い。従って、通常の皮むき具を使用せずに、鋭利な刃を持たないスプーン等を使用する方法等も紹介されている。このような皮むき方法の中に、ペットボトル等の塩ビ、金属のキャップを使用する方法がある。これらのキャップを食材で使い分けて、使用すると、ショウガ、ゴボウ、レンコン、サトイモ等の皮をむく時に、身を多くむくことが比較的少なくて、凹凸の部分もむきやすい。しかし小さなキャップを握ることで指が疲労しやすい問題がある。
【考案の概要】
【考案が解決しようとする課題】食材の種類によっては、皮をむいて使用する場合、従来の皮むき具を使用すると皮と一緒に身を多くむいてしまう場合が多いし、食材が小さくて凹凸があると、むき難いし、さらに身を多くむきとることになる。この不具合を除く皮むき方法として、刃の鈍化と小型の器具を使用することが試行錯誤されている。
一方家庭内では、食材によっては、ペットボトル等のキャップを使用する方法が広がっている。本考案は、このキャップを使用する方法で、キャップを簡単に着脱できる部分と取っ手を一体とし、キャップを取り付けて固定した状態で、キャプを刃として使用する構造の皮むき具として、従来の皮むき具と同等に指の疲労が少なくて使用できるようにした皮むき具を提供する。
【課題を解決するための手段】上記目的を達成するために、本考案は、キャップを簡単に着脱可能の部分（１）と取っ手部分（２）を一体にした皮むき具とした。キャップ取り付け部分（１）は完全に円形にせずに、一部分を開けた形状とする。素材は、金属または塩ビ等を使用する。キャップ取り付け部分（１）は、開口部に力を加えることで広げることができる。キャップを図２、図４のように取り付けて力を除くと締まる力で、キャップが（１）に固定される。この（１）の部分は、皮をむく力ではキャップが簡単に外れない程度の弾力性を持たせる。以上の形状からなるキャップを使用した本考案の皮むき具は、ショウガ、ゴボウ、レンコン、サトイモ等の皮むきに使用すると、身の部分を多くむくことなしに簡単に皮むきができる。また、使用済みのキャップを皮むきの刃として使用することから、いつでも刃の交換が可能である。また、食材によって、キャップの種類を換えることも可能である。使用も従来の皮むき具と同様にできることから、指の疲労等の問題も発生しない。
【考案の効果】以上の説明から明らかなように、本考案による食材の皮むき具を使用すると、使用済みの酒瓶、ペットボトル等の金属、塩ビ等で加工されたキャップを刃とする簡単な食材の皮むき具ができる。この皮むき具の効果は、ショウガ、ゴボウ、レンコン、サトイモ等の皮を、身を多くむくことなく除去することができる。
【図面の簡単な説明】
【図１】はキャップを取り付けて固定する部分（１）の開口部の一方に、（１）と一体にして取っ手（２）を付けた形状の図である。
【図２】は図１の形状のものにキャップ（３）を取り付けた皮むき具である。
【図３】はキャップを取り付けて固定する部分（１）の開口部の両方に、（１）と一体にして取っ手（２）を付けた形状の図である。
【図４】は図３の形状のものにキャップ（３）を取り付けた皮むき具である。
【考案を実施するための形態】
以下、本考案の実施形態を図に基づいて説明する。
図１の形状のものは、キャップ取り付け部分（１）の開口部の一方に取り付けてた取っ手（２）を片手で握って、親指で開口部の他の一方に親指を当てて取り付け部分（１）を開く。ここにキャップ（３）を図２のように入れて、指を除くと皮むき具が完成する。この形状のキャップ取り付け部分（１）の弾力強度は、皮むきの力でもキャップが動かない程度とする。また、使用中はキャップを親指で軽く押さえていることも可能である。図３の形状のものは、取っ手（２）を広げげると（１）の開口部が広がる。この状態で図４のようにキャップ（３）をセットして皮むき具ができる。図３のように取っ手を付けることで、キャップ取り付け部分（１）の弾力強度は図１の形状のものより弱くても取っ手をつかむことでキャップの動きが固定できる。ここでは、キャップ取り付け部分（１）を弾力性のある材質で、一部開けた円形としてあるが、一部を開けない形状で、キャップはめ込み固定ができるスリット状のスプリング加工をして、キャップを押し込み固定する構造とすることも可能である。
【産業上の利用可能性】本考案は、料理を作成する調理器具として利用可能である。
【図１】
0003202403.tif 000003
【図２】
0003202403.tif 000004
【図３】
0003202403.tif 000005
【図４】
0003202403.tif 000006
(57)【要約】      （修正有）【課題】ゴム風船と笛体を結合し、空気噴出圧力で飛揚し且つ吹鳴音を発する玩具で、空気噴出終了後の自然落下により、安全や環境の問題が発生することを防止できる笛付飛行風船玩具を提供する。【解決手段】ゴム風船１に結合する笛体３の吹口の反対側端部に設けた扁平部７の孔６に糸を通して結び、空気噴出終了時にその糸を操作して、自然落下を防ぎ玩具を回収する。【選択図】図１
0003202413.tif 000002
【実用新案登録請求の範囲】
【請求項１】
ゴム風船の空気吹込み口と笛体の吹口を結合し、笛体の笛孔より吹鳴音を発しながら排出される空気の噴出圧力で上空へ飛揚する玩具において、笛体の吹口の反対側端部に、糸を通す孔をもつ扁平部を設けたことを特長とする笛付飛行風船玩具。
【考案の詳細な説明】
【技術分野】
【０００１】
本考案は、ゴム風船と笛体を結合し、空気噴出圧力で飛揚し、且つ吹鳴音を発する玩具に関するものである。
【背景技術】
【０００２】
従来より、ゴム風船と笛体を結合し、空気噴出圧力で飛揚し、且つ吹鳴音を発する飛行風船玩具がある。（特許文献１参照）
【特許文献１】実用新案登録第３０８１２７６号公報
【考案の概要】
【考案が解決しようとする課題】
【０００３】
従来の飛行風船玩具は、空気噴出が終わって飛揚が終了後そのまま下降し、電柱・電線や樹木・建築物等に落下したり引っ掛かって、環境問題や電気施設に与える危険性、又道路上でも交通安全上の問題を引き起こす危険性がある。
【課題を解決するための手段】
【０００４】
ゴム風船に結合する笛体の吹口の反対側短部に、糸を通す孔をもつ扁平部を設ける。
【考案の効果】
【０００５】
笛体短部に設けた扁平部の孔に糸を通して結び、その糸を操作して、飛揚の終わる笛付飛行風船玩具を回収する事により、自然の成りゆき次第の落下とそのために起り得る諸問題を防止し、又当核玩具を繰り返し使用することができる。
【考案を実施するための最良の形態】
【０００６】
以下、本考案の実施の形態について説明する。
筒状の笛体（３）の一端を吹口（４）とし、中間に笛孔（５）を設け、吹口（４）の反対側の端部に孔（６）をもつ扁平部（７）を設ける。    ゴム風船（１）と笛体（３）の結合は空気吹込口（２）に吹口（４）を嵌入する事によるが、嵌入部の離脱や空気漏れ防止のため、空気吹込口（２）の内周と吹口（４）の外周は相互に係合する環状の凸凹條や段を付設する。
本考案を使用するときは、笛体（３）の孔（６）に糸をと売る通して結び、次に空気吹口（２）より空気を吹き込んでゴム風船（１）を膨らませ、笛孔（５）を指で塞いで吹口（４）を空気吹込口（２）に嵌入して結合し、次に笛孔（５）を開放すると、笛孔（５）より空気を噴出と同時に吹鳴音を発し、本考案品を上方に投げ上げると噴出圧力が弱まるまで飛揚と飛行を続ける。噴出が終了する時を見定めて糸を引き戻し、本考案品を回収する。
【図面の簡単な説明】
【０００７】
【図１】本考案の斜視図
【図２】本考案の笛体部分の拡大平面図
【符号の説明】
【０００８】
１  ゴム風船
２  空気吹込口
３  笛体
４  吹口
５  笛孔
６  孔
７  扁平部
【図１】
0003202413.tif 000003
【図２】
0003202413.tif 000004
(57)【要約】      （修正有）【課題】工具袋を腰ベルトに装着したときに使用者がよりソフトな感触が得られる工具袋を提供する。【解決手段】工具袋１は、前面に上面開口して工具類を収納する収納部１６を備え、該収納部１６を保持する背布１１の背面において、背布１１と、背布１１を被覆する外装布１００との間に空隙１１０を有する領域を設けたことを特徴とする。【選択図】図３
0003202457.tif 000002
【実用新案登録請求の範囲】
【請求項１】
前面に上面開口して工具類を収納する収納部を備えた工具袋であって、前記収納部を保持する背布の背面において、前記背布と、前記背布を被覆する外装布との間に空隙を有する領域を設けたことを特徴とする工具袋。
【請求項２】
前記背布と前記外装布との間にクッション体を有する領域を設けたことを特徴とする請求項１に記載の工具袋。
【請求項３】
前記領域は、一又は複数の区分からなることを特徴とする請求項１又は２に記載の工具袋。
【考案の詳細な説明】
【技術分野】
【０００１】
本考案は、工具袋を腰ベルトに装着したときに使用者の臀部又は腿部に当たる対峙面に緩衝部材を設け、長時間の使用に耐える工具袋に関する。
【背景技術】
【０００２】
従来、工具袋は釘袋や腰袋ともいい、袋体の内部に釘、ねじ類等の工事に必要な各種部材を収納できるようにしている。一般的な工具袋は、布製又は樹脂製で、背布と胴布とからなり、胴布で開口部を設けた大ポケットを形成するように背布に縫合して、該大ポケットの前面に中、小ポケットを縫い付けると共に、背布の上端部にベルト通しを備えているもので、各ポケットに大小の釘を収納すると共に、金槌やバール等の工具を差し込んで利用する。このような各ポケットに大小の釘を収納すると共に、金槌やバール等の工具を差し込んで利用するため、背布や胴布は、保形性を有した硬い素材で形成することが多い。
【０００３】
使用者はこのような工具袋を腰の側面又は若干背面よりに取り付けて使用することが多いので、腰ベルトに工具袋を挿通して長時間使用していると、工具袋の背布の底縁や側縁が臀部や腿部に当たり、痛みを感じたり時には衣服が擦れて損傷したり、不快に感じたりする等不都合がある。
【考案の概要】
【考案が解決しようとする課題】
【０００４】
そこで、このような問題に鑑み、工具袋を腰ベルトに装着したときに使用者がよりソフトな感触が得られる工具袋を提案することを課題とする。
【課題を解決するための手段】
【０００５】
本考案に係る工具袋は、前面に上面開口して工具類を収納する収納部を備え、該収納部を保持する背布の背面において、背布と、背布を被覆する外装布との間に空隙を有する領域を設けたことを特徴とする。また、背布と外装布との間の空隙にクッション体を備えるようにしてもよい。さらに、上述の領域は一かたまりであってもよいし、複数の区分からなるようにしてもよい。
【考案の効果】
【０００６】
本考案に係る工具袋によれば、使用者にソフトな感触が得られ、使用感を向上させることにより、長時間の使用が可能となる。
【図面の簡単な説明】
【０００７】
【図１】本考案に係る工具袋の一例を示す、後方から見た斜視図である。
【図２】本考案の工具袋の一例を示す背面図である。
【図３】本考案の工具袋の側面断面図である。
【図４】本考案の変形形態に係る工具袋の側面断面図である。
【考案を実施するための形態】
【０００８】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【０００９】
実施例１を図面を参照して詳細に説明する。図１は、本考案に係る工具袋の一例を示す、後方から見た斜視図である。図２は、本考案の工具袋の一例を示す背面図である。図３は、本考案の工具袋の側面断面図である。
【００１０】
まず、工具袋１の全体構成を説明する。図１に示すとおり、本考案の工具袋１は、表布１１によって前面に上面開口して底部１２を有し工具類を収納する収納部１６を備え、表布１１を保持し、ベルト通し１３を有する背布１０からなる。そして、背布１０の背面において、背布１０にはその一部を外装布１００が被覆し、背布１０とこれを被覆する外装布１００との間に空隙を有する領域１０１〜１０７を設けている。なお、収納部１６の前面、すなわち表布１１の前面に布材を縫着することにより上面開口した小収納部（図に示していない）を形成してもよい。工具袋１は、形態保持可能な皮革、厚布、樹脂等比較的丈夫な一枚の略長方形の基材の上端部分を裏側に折り返して腰ベルトを挿通させるベルト通し１３を形成するとよい。また、表布１１の縁は表縁部１５、背7布１０の縁は裏縁部１４で工具袋１の形状を補強するとよい。表縁部１５や裏縁部１４は、表布１１や背布１０の布端を折り込んで形成してもよいし、表布１１や背布１０と異なる任意の丈夫な素材を縫い付けて形成してもよい。
【００１１】
図２及び３を参照する。外装布１００には、裏面側から表面（使用者の臀部又は腿部に接触する面）側へ突出する突出部１０１〜１０７を形成している。突出部１０１〜１０７の頂部と背布の位置との高さの差は１〜２ｃｍ程度で、１．５ｃｍくらいが好適であるが、特にこれに限定されない。なお、上述の領域は一かたまりであってもよいし、複数の区分からなるようにしてもよい。また、突出部の数は、実施例では七つとしているが、これに限定されず、任意の数を選択してよい。このように、突出部１０１〜１０７からなる隆起部分が、工具袋１を装着した使用者の臀部又は腿部にソフトに当たるので、使用者が工具袋１を長時間使用しても痛みを与えにくく、使用感を向上させる。
【００１２】
図４を参照する。図４は、本考案の変形形態に係る工具袋１’の側面断面図である。図４に示すとおり、本考案に係る工具袋１’は、背布１０と外装布１００との間の空隙１１０にクッション体１１１を備えるようにしてもよい。このようなクッション体１１１を設けることにより、突出部１０１〜１０７が保形されるようにすると好適である。クッション体１１１は、衝撃吸収性を有していればよく、例えば、発泡樹脂素材又は半固形上のゲル状素材からなるようにするとよい。また、これらを組み合わせたり、積層させたりすることもできる。
【００１３】
以上、本考案に係る工具袋における好ましい実施形態を図示して説明してきたが、本考案の技術的範囲を逸脱することなく種々の変更が可能であることは理解されるであろう。
【産業上の利用可能性】
【００１４】
本考案に係る工具袋は、構造が簡易であるので、建設工事や電気工事等において高所で工具を必要とする職人だけでなく、家庭用の工具としても広く利用することができる。
【符号の説明】
【００１５】
１  工具袋
１０  裏布
１００  外装布
１０１〜１０７  突出部
１１０  空隙
１１１  クッション体
１１  表布
１２  底面
１３  ベルト通し
１４  裏縁部
１５  表縁部
１６  収納部
【図１】
0003202457.tif 000003
【図２】
0003202457.tif 000004
【図３】
0003202457.tif 000005
【図４】
0003202457.tif 000006
(57)【要約】      （修正有）【課題】リムを折りたたむことによりペンダントとしてファション性も兼ね持ち歩くことが出来るペンダント式メガネを提供する。【解決手段】レンズ９が内側にはめ込まれた一対のリム１と、耳にかけるテンプル２と、各リムを繋ぐブリッジ３と、メガネを鼻で支える為のパッドと、テンプル２の先端部に設けたモダン５と、リム１とテンプル２を連絡する智６とからなるメガネにおいて、ブリッジ３には、丁番７ｂと磁石がとりつけられ、ブリッジ３は、丁番７ｂを介して開閉可能であり、テンプル２と智６は丁番７ｂと磁石が取り付けられ、テンプル２は丁番７ｂを介して開閉可能であり、テンプル２の一端部には首輪１１が設けられる。【選択図】図１
0003202456.tif 000002
【実用新案登録請求の範囲】
【請求項１】
レンズが内側にはめ込まれた一対のリムと、耳にかけるテンプルと、各リムを繋ぐブリッジと、メガネを鼻で支える為のパッドと、テンプルの先端部に設けたモダンと、リムとテンプルを連絡する智とからなるメガネにおいて、ブリッジには、丁番と磁石がとりつけられ、ブリッジは、丁番を介して開閉可能であり、テンプルと智は丁番と磁石が取り付けられ、テンプルは丁番を介して開閉可能であり、テンプルの一端部には首輪が設けられたことを特徴とするペンダント式メガネ。
【考案の詳細な説明】
【技術分野】
【０００１】
本考案は、メガネをペンダントとしても使用出来る様に工夫したペンダント式メガネに関する。
【背景技術】
【０００２】
ペンダントは、ペンダントとして、メガネはメガネとして使用するのが一般的である。
【考案の概要】
【考案が解決しようとする課題】
【０００３】
（１）老眼鏡をケースに入れ持ち歩き、ケースからいちいち取り出してかけるのが面倒である。
（２）サングラスを持ち歩くのに、若い人は頭にかけたりしてもファション性もあるが、年齢を重ねた人はそういかない。
［課題を解決しようとするための手段］
【０００４】
レンズが内側にはめ込まれた一対のリムと、耳にかけるテンプルと、各リムを繋ぐブリッジと、メガネを鼻で支える為のパッドと、テンプルの先端部に設けたモダンと、リムとテンプルを連絡する智とからなるメガネにおいて、ブリッジには、丁番と磁石がとりつけられ、ブリッジは、丁番を介して開閉可能であり、テンプルと智は丁番と磁石が取り付けられ、テンプルは丁番を介して開閉可能であり、テンプルの一端部には首輪が設けられたことを特徴とするペンダント式メガネ。
【考案の効果】
【０００５】
本考案のペンダント式メガネには、次のような効果がある。
（１）  メガネを折りたたんで首にぶらさげることができるのでケースから取り出したりする面倒さがない。
（２）  メガネをペンダントとして、首にぶら下げるので、ファション性がある。
【図面の簡単な説明】
【０００６】
【図１】この考案のペンダント式メガネをペンダントとして使用した場合の正面図を示す。
【図２】この考案のペンダント式メガネの斜視図を示す。
【図３】（ａ）図２のＡ部の拡大図である。（ｂ）図２のＢ部の拡大図である。
【考案を実施するための形態】
【０００７】
本ペンダント式メガネは、メガネの中央部ブリッジを内側に折りたたみペンダントとて使用出来るものである。
【実施例】
【０００８】
以下、本考案に係るペンダント式メガネ構造の実施例を図面に基づいて詳細に説明する。図１は、本考案の請求項に係るペンダント式メガネをペンダントとして使用した場合の正面図を示す。図２は、メガネとして使用した場合の斜視図を示す。図３（ａ）、（ｂ）は図２のＡ部、Ｂ部の拡大図である。各図のペンダント式メガネは、レンズ９を内側に支えている部分であるリム１、智６から耳にかかる部分であるテンプル２、左右のリム１をつないでいて折りたたむことの出来るブリッジ３、メガネを鼻で支えるパッド４、耳に接する部分のモダン５、リム１とテンプル２をつなげいてる智６、ブリッジ３を内側におることが出来る丁番７a、テンプル２を外側に折ることが出来る丁番７b、ブリッジ３を丁番７ａを介して開閉可能にする磁石８a、８b、智６とテンプル２を丁番７ｂを介して開閉を可能にする磁石８c、８d、と、テンプル２のモダン５の近くに設けた首輪取付部１０、首輪取付部１０に取付けられた首輪１１、首輪１１の長さを調節する止めリング１２からなる。以上のペンダント式メガネは、次のようにして使用する。図１の様にブリッジ３を丁番７aによりメガネを内側に折りたたみ丁番７bによりテンプル２を外側に折りたたみ、首輪１１により首にぶらさげペンダントとして使用する。又図２のようにブリッジ３を磁石８ａ、８ｂにより接合させ、テンプル２と智６を磁石８ｃ、８ｄにより接合させ、通常のメガネの形態に整えメガネとして使用する。なお、磁石８ａ、８ｂ、磁石８ｃ、８ｄは、接合出来るものであればなんでも良い。磁石と金属の組み合わせでも良い。又丁番７も折りたたむことが出来れば丁番でなくても良い。パット4は、ゴム質性のような伸縮性のものとする。
【符号の説明】
【０００９】
１  リム
２  テンプル
３  ブリッジ
４  パッド
５  モダン
６  智
７  丁番７a（ブリッジ側）、丁番７b（智とテンプル側）
８  磁石８a、８b、（ブリッジ側）８c、８d（智とテンプル側）
９  レンズ
１０首輪取付部
１１首輪
１２止めリング
【図１】
0003202456.tif 000003
【図２】
0003202456.tif 000004
【図３】
0003202456.tif 000005
(57)【要約】      （修正有）【課題】取り付けが、簡単、手軽、安価に床に敷くことが出来、また、後始末も、簡単、手軽に出来る使い捨てトイレマットを提供する。【解決手段】便器を取り囲む形態のトイレマットの本体裏面４に、簡単に粘り付き、簡単に剥がせる粘着テ−プ５をつけ、小便の跳ね返りを素早く吸収しトイレ回りを清潔に保つ。【選択図】図２
0003202780.tif 000002
【実用新案登録請求の範囲】
【請求項１】
本考案品は、名称を「使い捨てトイレマット」と言い、トイレ付近の床の汚れや、濡れを未然に防ぎ予防をし、多数で使用するフアミリ−レストラン等のトイレ回り（特に男子トイレ）を少しでも清潔に保つために使用する、簡単に取扱い出来る「使い捨てトイレマット」です。
【考案の詳細な説明】
【技術分野】
【０００１】  本考案品は、フアミリ−レストランなど、子供を含む多数の人々が使用する便所を手軽で簡単に清潔に保つために考案した、使い捨てトイレマットです。
【背景技術】
【０００２】  特にフアミリ−レストランの男子便所に多く見受けられるのであるが休日は子供が多く、立つて小便を行う為か便器の回りビチヨビチヨに濡れていることがあり、美味しさも、楽しさも半減してしまいます。
【考案が解決しょうする課題】
【０００３】  濡れて不快感をあたえてしまうのは、忙しい合間に便所掃除などに費やす時間がないのではないかと考え、この欠点を解決しょうと思いました。
【課題を解決するための手段】
【０００４】  目的を解決するために、簡単に取扱い出来る形状であること、簡単に取扱える素材であること、簡単に始末出来ること、安価である事を考えました。
【考案の効果】
【０００５】  本考案品の材質は広く一般に市販されている犬などペットのトイレに使用されている紙おむつタイプのシ−トで、特殊な加工の不織布なで表面はいつもサラサラしていて、トイレのまわりが清潔にたもたれます。
【考案実施のための最良の形態】
【０００６】  本考案品の形態は、便器を取り囲むような形態で、シ−ト上部の中央にＵの字の切り込みカットを入れ、小便の跳ね返りを少しでもしっかり吸収させる形態にする。
また、多数の人間が入れ替わり、立ち替わり使用するので、シ−トがずれないように、裏面には、床に簡単に貼りつき、簡単に剥がせる粘着テ−プをつける。
【実施例】
【０００７】  以下は添付図面にて説明いたします。
【図面の簡単な説明】
【０００８】
【図１】  本発明の実施形態の構成を表した、本体表面図です。
【図２】  本発明の実施形態を裏返しした状態図です。
【符号の説明】
【０００９】  １    小便、水分汚れを吸収させるための本体シ−ト
２    便器に沿ってＵの字に切り整えられたシ−ト上部
３    汚れを目立たなくするための足型や、可愛い模様など
（足型、模様はなくてもよい）
４    本体裏面
５    本体を固定させるための粘着テ−プ
（粘着テ−プの取り付け方や、位置はいろいろある）
【図１】
0003202780.tif 000003
【図２】
0003202780.tif 000004
【手続補正書】
【提出日】平成27年11月30日(2015.11.30)
【手続補正１】
【補正対象書類名】実用新案登録請求の範囲
【補正対象項目名】全文
【補正方法】変更
【補正の内容】
【実用新案登録請求の範囲】
【請求項１】
便器を取り囲む形態のトイレマットの裏面に簡単に粘り付き、簡単に剥がせる粘着テ−プをつけ、小便の跳ね返りを素早く吸収しトイレ回りを清潔に保つ洗濯不要の使い捨てトイレマット。
(57)【要約】      （修正有）【課題】建設用機械を使用しての夜間作業において、安全性を確保できる照明装置を提供する。【解決手段】移動基体１に機械操作者の運転席を設けている回転機体２と、回転機体２から腕状に伸長され、左右旋回並びに上下回動をなすアーム３及びブーム４を備えると共に、先アーム３の先端にショベル５のように作用部材を設けている所定の建設用機械において、アーム３及びブーム４の側面に、先方から基方に至るまで、線状の照明部６を配設する。【選択図】図１
0003202741.tif 000002
【実用新案登録請求の範囲】
【請求項１】
旋回するアーム及びブームの双方或いは何れかを備えた建設用機械において、アーム及びブームの側面に、先方から基方に至るまで、線状の照明部を配設してなることを特徴とする建設用機械の照明装置。
【請求項２】
照明部が、チューブ状ＬＥＤライトである請求項１記載の建設用機械の照明装置。
【請求項３】
照明部を、アーム及びブームの側面の上下縁近傍に設けて上下二列としてなる請求項１又は２記載の建設用機械の照明装置。
【考案の詳細な説明】
【技術分野】
【０００１】
本考案は、油圧ショベルのようなブームやアームを備えている建設機械に装着する照明装置に関するものである。
【背景技術】
【０００２】
油圧ショベルのような建設機械には、夜間作業に便利なように照明装置が装着することが知られている。例えば特許文献１（特開平７−３０４３８５号公報）には、ブームに作業灯を装着することが開示されており、特許文献２（特開２００２−３３９４０１号公報）には、ブームに装着する照明灯をアームとリンク機構で連結して、アームの動作に対応し
て照明灯を揺動させる照明装置が示されている。また特許文献３（特開２０００−１７７４７９号公報）には、機体（建屋）に照明灯を設けて、作業者の乗降に際して足元を照らす照明装置が開示されている。
【先行技術文献】
【特許文献】
【０００３】
【特許文献１】特開平７−３０４３８５号公報。
【特許文献２】特開２００２−３３９４０１号公報。
【特許文献３】特開２０００−１７７４７９号公報。
【考案の概要】
【考案が解決しようとする課題】
【０００４】
建設用機械のアーム及びブーム等において点照明を設けて現場における作業地面を照射するが、上下旋回する首振り動作するアームやブームの動作自体は前記の点照明の動きでしか確認できない。而も機械操縦者は作業地面のみを着目してしまい、暗い周囲には注意が行かない。
【０００５】
また機械周囲にいる作業者は、ブームやアームが動いた場合に、その動作の確認が容易でない。このため従前の照明装置を備えた建設用機械では、必ずしも夜間作業が安全に行われるとは言えない。
【０００６】
そこで本考案は、夜間作業の安全性を高める新規な建設用機械の新規な照明装置を提案したものである。
【課題を解決するための手段】
【０００７】
本考案の請求項１記載に係る建設用機械の照明装置は、旋回するアーム及びブームの双方或いは何れかを備えた建設用機械において、アーム及びブームの側面に、先方から基方に至るまで、線状の照明部を配設してなることを特徴とするものである。
【０００８】
而して前記の照明装置を備えた建設用機械を使用して夜間作業を行うと、アーム・ブームの全体がどのような位置にあるか、機械操作者は勿論のこと周囲にいる作業者も直ぐに認識できる。また作業現場の周囲全体を明るくすると共に、その光が照らしだす範囲も、アーム・ブームの動作に応じて動作するため、機械操作者は、アーム・ブームの動作先を確認しながら機械操作を行うことができる。
【０００９】
また本考案の請求項２記載に係る建設用機械の照明装置は、特に照明部が、チューブ状ＬＥＤライトとしたものである。ＬＥＤ（発光素子）は、保護チューブ内に基板を並列することで容易に線状光源とすることができ、且つ消費電力も少ない。
【００１０】
また本考案の請求項３記載に係る建設用機械の照明装置は、特に照明部を、アーム及びブームの側面の上下縁近傍に設けて上下二列としてなるもので、アーム・ブーム全体の位置が離れた位置でも容易に確認することができる。
【考案の効果】
【００１１】
本考案に係る建設用機械の照明装置の構成は上記のとおり、アーム・ブームの側面に線状の照明部を設けたもので、作業現場証照明として機能する他、アーム・ブームの位置及び状況が夜間でも機械操作者並びに周囲作業者が確認でき、安全な夜間作業を実現するものである。
【図面の簡単な説明】
【００１２】
【図１】本考案の実施形態の説明図。
【考案を実施するための形態】
【００１３】
次に本考案の実施形態について説明する。本考案が適用される建設用機械は、例えば油圧ショベルのように、移動基体１に機械操作者の運転席を設けている回転機体２と、回転機体２から腕状に伸長され、左右旋回並びに上下回動をなすアーム３及びブーム４を備えると共に、先アーム３の先端にショベル５のように作用部材を設けているものである。
【００１４】
照明装置は、照明部６は、適宜な透明チューブ内にＬＥＤ（発光素子）の基板を並列した線状光源で、回転機体２が具備している電源と接続し、運転席に点灯スイッチを設けているものである。
【００１５】
特に前記の照明部６は、アーム３及びブーム４の側面の上下縁近傍に、先方から基方に至るまで上下二列に設けたものである。
【００１６】
しかして夜間作業に際しては、照明部６を点灯して行うもので、前記点灯によってショベル５を含む作業現場における前方（運転席の前方）の広い範囲を明るく照らし、作業を安全に且つ確実に行うことができたものである。特に線状光源である照明部６がアーム３とブーム４の側面上下二列に設けてあるので、アーム３及びブーム４の位置並びに状態を明確に知ることができ、機械操作者にとっては、アーム３及びブーム４の操作が容易に行えるし、動作先の現場状況を前記の動作に伴って明るく照らし出されている安全な作業を行うことができる。また作業現場にいる周囲作業者にとっても、アーム３及びブーム４の位置並びに状態を確認でき、更に動いても直ぐに知ることができ、安全を確保できるものである。
【符号の説明】
【００１７】
１    移動基体
２    回転機体
３    アーム
４    ブーム
５    ショベル
６    照明部
【図１】
0003202741.tif 000003
(57)【要約】      （修正有）【課題】簡単に大量の墨が擦れる自動墨擦り機を提供する。【解決手段】四角形の底板と、当該底板の４隅にアングル柱部８−１を垂直に立設した固定部と、四角形の４隅に垂直に立設する角パイプ柱部７と、角パイプ柱部７を連結するフレーム５、６と、フレーム５、６にモーター１を固定し、その回転軸３に連動した２連墨ホルダー４を備えた全体を可動部とし、４隅の角パイプ柱部７とアングル柱部８−１が上下自由に嵌合し、固定部に丸い硯１５を置き墨ホルダー４に墨１６をセットし回転して擦る。【選択図】図１
0003202745.tif 000002
【実用新案登録請求の範囲】
【請求項１】
四角形の底板と、当該底板の４隅にアングル柱部を垂直に立設した固定部と、
四角形の４隅に垂直に立設する角パイプ柱部と、前記角パイプ柱部を連結するフレームと、前記フレームにモーターを固定し、その回転軸に連動した２連墨ホルダーを備えた全体を可動部とし、
前記４隅の角パイプ柱部と前記アングル柱部が上下自由に嵌合し、固定部に硯を置き墨ホルダーに墨をセットし回転して擦る特徴とする自動墨擦り機。
【請求項２】
請求項１に係る自動墨擦り機において墨ホルダー内部に墨押さえ板が揺動可能に吊り下がるように設け蝶ネジで墨押さえ板を押さえることにより墨を固定することを特徴とする自動墨擦り機。
【考案の詳細な説明】
【技術分野】
【０００１】
大量に墨を使用する方への負担を軽くする為である。
【背景技術】
【０００２】
これまでの墨擦りは、構造が複雑で操作方法が難しかった。
【先行技術文献】
【特許文献】
【０００３】
【特許文献１】実用新案登録公報  第2585258号
【考案の概要】
【考案が解決しようとする課題】
【０００４】
これまでの墨擦りは、構造が複雑でコストが高く又操作方法が難しかった。
【０００５】
この考案はそれを非常に簡単にした。
【課題を解決するための手段】
【０００６】
四角形の底板と、当該底板の４隅にアングル柱部を垂直に立設した固定部と、四角形の４隅に垂直に立設する角パイプ柱部と、前記角パイプ柱部を連結するフレームと、前記フレームにモーターを固定し、その回転軸に連動した２連墨ホルダーを備えた全体を可動部とし、前記４隅の角パイプ柱部と前記アングル柱部が上下自由に嵌合し、固定部に丸い硯を置き墨ホルダーに墨をセットし回転して擦る特徴とする自動墨擦り機。
【０００７】
請求項１に係る自動墨擦り機において墨ホルダー内部に墨押さえ板が揺動可能に吊り下がるように設け蝶ネジで墨押さえ板を押さえることにより墨を固定することを特徴とする自動墨擦り機。
【考案の効果】
【０００８】
この考案は非常にシンプルなので故障がなく操作が簡単、墨を擦るときの加重も図２の可動部の荷重だけでよく、墨ホルダー４も押さえ板13を付けたので墨16も無駄なく非常に扱いやすい。
【図面の簡単な説明】
【０００９】
【図１】全体図
【図２】可動部の正面図
【図３】可動部の側面図
【図４】固定部
【図５】平面図
【図６】墨ホルダー拡大側面図及び平面図
【考案を実施するための形態】
【００１０】
本自動墨擦り機は実施においては図４で示すように四角形を底板とする４隅のアングル柱部８-１と連結するフレーム８-２と底部に敷いた板９から成る固定部を図４に示す。４隅の角パイプ柱部７と、連結するフレーム６と、連結するフレーム５と、前記フレーム５に取り付けたモーター１と、前記モーター１の内臓歯車２の回転軸３に連動した２連墨ホルダー４を取り付けた可動部を図２に示す。図２の４隅の角パイプ柱部７が図４の４隅のアングル柱部８-１内に収まるよう上から降ろし一体型とし、上下自由に嵌合状態となっています。
墨ホルダー4は図６墨ホルダー拡大側面図及び平面図に示すように墨を２ケ取り付けられる角パイプと内側には上部を吊り下げられるようにした揺動可能な押さえ板13を、前記押さえ板13を押さえる蝶ネジ14、から構成されています。
４隅の角パイプ柱部が下面についた位置において墨ホルダー４の下面が硯面との間隙を５ミリほどに保つように作成されており、硯面を墨ホルダーで傷つけることもなく墨も無駄なく使用出来ます。
可動部と固定部は常に一体型とし、アングル柱部８-１と角パイプ柱部７の一ヵ所に通し穴を開けておき持ち運び時にはピンを差し可動部と固定部が離れないようにする。
稼動は底板9に丸い硯15を置き、硯15に水を差し墨ホルダーに墨をセットしてモーターの電源スイッチ11を入れれば後は自動的に擦ります。
尚、墨を擦るときの加重も図２の可動部だけで適度の荷重となっています。
【符号の説明】
【００１１】
1…モーター  2…内臓歯車  3…回転軸  4…墨ホルダー  5…フレーム  6…フレーム  ７…角パイプ柱部  8-1…アングル柱部  8-2…フレーム9…底部  10…取っ手  11…モーター配線  12…モーター固定ネジ13…押さえ板14…蝶ネジ15…硯  16…墨  17…通し穴
【図１】
0003202745.tif 000003
【図２】
0003202745.tif 000004
【図３】
0003202745.tif 000005
【図４】
0003202745.tif 000006
【図５】
0003202745.tif 000007
【図６】
0003202745.tif 000008
(57)【要約】      （修正有）【課題】競技者のユニフォームその他の衣類に安全かつ容易に着脱することができると共に、表面に競技者を識別するための数字等の表示をカラー複写機によりプリントすることができ、更には通気性を確保することが可能なゼッケンを提供する。【解決手段】不織布により形成された表示体１の表面１ａには競技者を識別するための数字等の表示３を付し、該表示体の裏面には該表示体を競技者のユニフォームその他の衣類５に着脱自在に取り付けるための粘着剤層を形成し、該粘着剤層に剥離ライナーを備えさせたことを特徴とするゼッケン。前記粘着剤層は、前記表示体の裏面における一部にのみ形成してもよい。【選択図】図１
0003202752.tif 000002
【実用新案登録請求の範囲】
【請求項１】
不織布により形成された表示体の表面には競技者を識別するための数字等の表示を付し、該表示体の裏面には該表示体を競技者のユニフォームその他の衣類に着脱自在に取り付けるための粘着剤層を形成し、該粘着剤層に剥離ライナーを備えさせたことを特徴とするゼッケン。
【請求項２】
前記粘着剤層は、前記表示体の裏面における一部にのみ形成することを特徴とする請求項１に記載のゼッケン。
【考案の詳細な説明】
【技術分野】
【０００１】
本考案は、ゼッケンに関するものであり、特に、マラソン、駅伝その他のスポーツにおいて、競技者を識別するために競技者に着用させるゼッケンに係るものである。
【背景技術】
【０００２】
ゼッケンとしては、例えば実開平５−２９０８０号公報に示すように、布、プラスチックフィルム等により形成された長方形状等の表示体の表面に競技者を識別するための数字、競技種目名、スポンサーの名称等をあらわす文字等の表示を付してなるものが従来より使用されている。
【０００３】
従来のゼッケンにおいては、これを競技者のユニフォームその他の衣類に縫着し、あるいはホック、安全ピン、紐等の固着具により固着している。
【先行技術文献】
【特許文献】
【０００４】
【特許文献１】実開平５−２９０８０号公報
【考案の概要】
【考案が解決しようとする課題】
【０００５】
しかるに、上記従来のゼッケンにおいては、ゼッケンを競技者のユニフォームその他の衣類に縫着することは面倒であり、衣類に逢着したゼッケンを該衣類から取り外す作業も容易ではない。また、ゼッケンを競技者のユニフォームその他の衣類にホック、安全ピン、紐等の固着具により着脱する作業も面倒である。特に、安全ピンを用いた場合には、ゼッケンを衣類に着脱する際に安全ピンが指に刺さり、あるいはゼッケンを取り付けた競技者が転倒したときなどに安全ピンが胸に刺さってけがをするおそれもある。また、布により形成された表示体の場合には、表面に競技者を識別するための数字等の表示を複写機によりプリントすることができない。更に、プラスチックフィルムにより形成された表示体の場合には、通気性がないという問題がある。
【０００６】
本考案は、上記従来のゼッケンにおける上述の如き問題を解決し、競技者のユニフォームその他の衣類に安全かつ容易に着脱することができると共に、表面に競技者を識別するための数字等の表示をカラー複写機によりプリントすることができ、更には通気性を確保することが可能なゼッケンを提供しようとしてなされたものである。
【課題を解決するための手段】
【０００７】
上記課題を解決するために、本考案は、下記のゼッケンを提供するものである。
【０００８】
（１）不織布により形成された表示体の表面には競技者を識別するための数字等の表示を付し、該表示体の裏面には該表示体を競技者のユニフォームその他の衣類に着脱自在に取り付けるための粘着剤層を形成し、該粘着剤層に剥離ライナーを備えさせたことを特徴とするゼッケン（請求項１）。
【０００９】
（２）前記粘着剤層は、前記表示体の裏面における一部にのみ形成する（請求項２）。
【考案の効果】
【００１０】
[請求項１の考案]
表示体を競技者のユニフォームその他の衣類に取り付ける際には、剥離ライナーを粘着剤層から剥がして該表示体を衣類に押し付けることにより、表示体を衣類に極めて安全かつ容易に取り付けることができる。また、ゼッケンの使用後は、表示体を衣類から極めて安全かつ容易に引き剥がすことができる。更に、表示体は不織布により形成されているため、表面に競技者を識別するための数字等の表示をカラー複写機によりプリントすることができる。加えて、表示体の粘着剤層と衣類との間に競技者を識別するための識別信号を発信する小型の発信器を挟み込むことができる（図２参照）。因みに、この発信器により発信される識別信号は、一例としてゴールに設置された読取装置により受信され、読み取られる。すなわち、この発信器を表示体の粘着剤層と衣類との間に挟み込んでおくことにより、例えばゴールに到着した競技者の順位等を確認することができる。
【００１１】
[請求項２の考案]
粘着剤層は、表示体の裏面における一部にのみ形成され、表示体の裏面における残部には粘着剤層が形成されてため、当該残部においては不織布が衣類に臨む状態となる。したがって、当該部分により通気性が確保される。  
【図面の簡単な説明】
【００１２】
【図１】図１は、本考案によるゼッケンの一例の使用状態を示す正面図である。
【図２】図２は、剥離ライナーを粘着剤層から剥がして衣類に取り付けた状態を示す断面図である。
【図３】図３は、本考案によるゼッケンの一例を示す断面図である。
【図４】図４は、粘着剤層を表示体の裏面における一部にのみ形成した一例を示す背面図である。
【図５】図５は、粘着剤層を表示体の裏面における一部にのみ形成した別の一例を示す背面図である。
【考案を実施するための形態】
【００１３】
符号１に示すものは表示体である。表示体１は不織布により長方形状等に形成する。不織布は強く、破れにくい。
【００１４】
表示体１の表面１ａには競技者を識別するための数字、競技種目名、スポンサーの名称等をあらわす文字等の表示３を付す。
【００１５】
表示体１の裏面１ｂには該表示体１を競技者のユニフォームその他の衣類５に着脱自在に取り付けるための粘着剤層７を形成し、該粘着剤層７に剥離ライナー（離型紙）９を備えさせる。
【００１６】
粘着剤層７は、表示体１の裏面１ｂにおける全部に形成してもよいが、表示体１の裏面１ｂにおける一部１ｃにのみ形成してもよい。図４に示す事例においては、粘着剤層７を表示体１の裏面１ｂにおける一部１ｃにのみ形成し、表示体１の裏面１ｂにおける残部１ｄには表示体１を形成する不織布が露出している。この残部１ｂにより表示体１の通気性が確保される。
【００１７】
符号１１に示すものは小型の発信器である。この発信器１１は、競技者を識別するための識別信号を発信するものであり、表示体１の粘着剤層７と衣類５との間に挟み込むことができる（図２参照）。
【符号の説明】
【００１８】
１  表示体
１ａ  表面
１ｂ  裏面
１ｃ  一部
１ｄ  残部
３  表示
５  衣類
７  粘着剤層
９  剥離ライナー
１１  発信器
【図１】
0003202752.tif 000003
【図２】
0003202752.tif 000004
【図３】
0003202752.tif 000005
【図４】
0003202752.tif 000006
【図５】
0003202752.tif 000007
(57)【要約】      （修正有）【課題】誘導をする際、手軽で素早く簡単に設置撤収ができ、また進行方向の指示も素早く簡単にできる折替式左右矢印板を提供する。【解決手段】矢印板本体１の１つの面の中心部に蝶番により左右に回転する板３を取り付け、その板の裏表に左右の矢印を貼り付けて、左右の矢印を表示することができる。【選択図】図１
0003202783.tif 000002
【実用新案登録請求の範囲】
【請求項１】
１つの面で左右の矢印を示すことができる一体型の左右折替式矢印板。
【考案の詳細な説明】
【技術分野】
【０００１】
本発明は車両や人を誘導する簡易型標識に関する。
【背景技術】
【０００２】
従来の矢印板はほとんどが１つの面で左右片方の矢印を示すものであり、また１つの面で左右の矢印を示すものがあっても挿入方式で一体型ではなかったのである。
【先行技術文献】
【非特許文献】
【０００３】
【非特許文献１】「総合カタログ」株式会社ポータ工業ｐ１６
【考案の概要】
【考案が解決しようとする課題】
【０００４】
本発明は、左右の誘導変更が必要なとき逆の矢印板を用意することなく１台にセチィッグされた矢印板で変更可能にすることを課題とする。
【課題を解決するための手段】
【０００５】
上記目的を達成するために、本発明は矢印板の中心部分に左右に回転する部品を取り付けそれに左右に回転する板を取り付けるものである。矢印の先端半分を裏表に左右の矢印を設けるものである。また矢印が振動や風で回転しないようマグネットで固定されているものである。
【考案の効果】
【０００６】
以上の説明から明らかなように、本発明にあっては次に列挙する効果がえられる。
（１）１台の矢印板で左右の誘導ができる。
【０００７】
（２）一体となっているため瞬時の矢印変更が可能となる。
【図面の簡単な説明】
【０００８】
【図１】本件「左右折替式矢印板」の全体を説明する斜視図です。
【考案を実施するための形態】
【０００９】
以下、本発明の実施の形態を図に基づいて説明する。
【実施例１】
【００１０】
図１は本発明の実施例１の設置したときの全体斜視図である。１矢印板本体をセンターで割振り、両サイドに矢印の根元半分を貼り付ける。そしてそのセンター部にセンターを中心に３左右に回転する部品を取り付けその部品に２回転する板を取り付ける。２回転する板は裏表に矢印の先端半分が貼り付けてあり、右に回転させると右に矢印板となり左に回転させると左の矢印板となるのである。
【産業上の利用可能性】
【００１１】
本考案は誘導変更をもとめられる際、もっとも簡単で素早い誘導変更が可能な矢印板なのである。
【符号の説明】
【００１２】
１  矢印板本体
２  左右に回転する部品
３  回転する板
【図１】
0003202783.tif 000003
【手続補正書】
【提出日】平成27年12月24日(2015.12.24)
【手続補正１】
【補正対象書類名】実用新案登録請求の範囲
【補正対象項目名】全文
【補正方法】変更
【補正の内容】
【実用新案登録請求の範囲】
【請求項１】
１つの面の中心部に蝶番により左右に回転する板を取り付け、その板の裏表に左右の矢印を貼り付けて、左右の矢印を表示することができる一体型の折替式左右矢印板。
(57)【要約】      （修正有）【課題】近年の原発事故による電力不足が叫ばれる中、一般家庭における節電手段として、エアコン等を効率良く運転するための節電モニターを提供する。【解決手段】ＡＣプラグ及びＡＣコンセントを備えた箱状の本体容器の表面にディスプレイを配置した構造であって、ＡＣプラグからＡＣコンセントの間に流れる電流量を計測、リアルタイムの電気料金額としてディスブレイに表示させる手段を備えた。【選択図】図１
0003202788.tif 000002
【実用新案登録請求の範囲】
【請求項１】
屋内壁面に取り付けられたエアコン等電源コンセント部位又は延長されたコンセントに着脱可能な構造であって、エアコン等の消費電流量や換算電気料金等の、節電目的のデータ表示機能を備えた事を特徴とする節電モニター。
【考案の詳細な説明】
【技術分野】
【０００１】  本考案は、主としてエアコン等の製品本体や、その電源コンセント部に装着して、電流値等を簡便に表示する機能を利用した節電モニターである。
【背景技術】
【０００２】  従来、エアコン等の節電は、我慢出来る温度設定や、運転時間の短縮等を経験と勘で適宜工夫しながらのり越えていた。
【考案の開示】
【課題を解決するための手段】
【０００３】  現在消費している電流量をＣ．Ｔ（カーレントトランス）を用いて検出して、１００Ｗ当たり１個の比率でＬＥＤを点灯させるコンパレータ回路を用いて、１０個程度まで高精度に表示させる仕組みを用いて、リアルタイムに適切な節電運転を可能にする。
【考案の効果】
【０００４】  消費電力量がリアルタイムに、１０段階程度で表示されるため、例えば点灯が１個の時には１時間当たり３円、１０個では３０円と料金計算が容易になるため、費用対効果を勘案しつつ、きめ細かく納得出来る節電運転が可能になる。
【図面の簡単な説明】
【０００５】
【図１】  本器の構造を示すものです。
【図１】
0003202788.tif 000003
【手続補正書】
【提出日】平成27年11月27日(2015.11.27)
【手続補正１】
【補正対象書類名】実用新案登録請求の範囲
【補正対象項目名】全文
【補正方法】変更
【補正の内容】
【実用新案登録請求の範囲】
【請求項１】
ＡＣプラグ及びＡＣコンセントを備えた箱状の本体容器の表面にディスプレイを配置した構造であって、ＡＣプラグからＡＣコンセントの間に流れる電流量を計測、リアルタイムの電気料金額としてディスブレイに表示させる手段を備えた事を特徴とする節電モニター。